(57)【要約】【課題】ゴム紐などの頭部装着用紐１４、２１が手元になくても、伸縮包帯などの頭部装着用帯をマスク装着者２の頭部２６などに比較的簡単にかつ比較的確実に掛けることなどによって、マスク本体６をマスク装着者２に比較的簡単にかつ比較的確実に装着することができるガス類供給用マスク装置１を提供する。【解決手段】紐取付け用短孔１５〜１８と帯取付け用長孔２２、２３とのそれぞれが、マスク本体６の外周部分１１のうちの左側の端部１１ａと右側の端部１１ｂとのそれぞれに配設されている。【選択図】図２
2015226596.tif 000002
【特許請求の範囲】
【請求項１】
マスク装着者の頭部に装着されることができるマスク本体を備え、
上記頭部に装着されている上記マスク本体と上記マスク装着者の顔面との間に存在するガス類導入空間にガス類を導入することができるように構成されているガス類供給用マスク装置において、
紐取付け用短孔と帯取付け用長孔とのそれぞれが、上記マスク本体の外周部分のうちの左側の端部と右側の端部とのそれぞれに配設されていることを特徴とするガス類供給用マスク装置。
【請求項２】
上記外周部分のうちの上記左側端部と上記右側端部とのそれぞれがほぼ平らな面に構成されていることを特徴とする請求項１に記載のガス類供給用マスク装置。
【請求項３】
左側の孔形成用突出部と右側の孔形成用突出部とのそれぞれが、上記外周部分のうちの上記左側端部と上記右側端部とのそれぞれのほぼ中間部分にほぼ左右両外側に向って突出するように配設され、
上記紐取付け用短孔と上記帯取付け用長孔とのうちのいずれか一方が、上記左側孔形成用突出部と上記右側孔形成用突出部とのそれぞれに配設され、
上記紐取付け用短孔と上記帯取付け用長孔とのうちの他方が、上記左側孔形成用突出部と上記右側孔形成用突出部とのそれぞれに隣接するように、上記外周部分のうちの上記左側端部と上記右側端部とにそれぞれ配設されていることを特徴とする請求項１または２に記載のガス類供給用マスク装置。
【請求項４】
上記紐取付け用短孔が、上記左側孔形成用突出部と上記右側孔形成用突出部とのそれぞれに配設され、
上記帯取付け用長孔が、上記左側孔形成用突出部と上記右側孔形成用突出部とのそれぞれに隣接するように、上記外周部分のうちの上記左側端部と上記右側端部とにそれぞれ配設されていることを特徴とする請求項３に記載のガス類供給用マスク装置。
【請求項５】
上記左側孔形成用突出部と上記右側孔形成用突出部とのそれぞれが、上記左側端部と上記右側端部とのそれぞれにほぼ面一になるように一体成形されていることを特徴とする請求項３または４に記載のガス類供給用マスク装置。
【請求項６】
上記左側孔形成用突出部と上記右側孔形成用突出部とのそれぞれが、ほぼ台形状、ほぼ長方形状、ほぼ半円形状、ほぼ半楕円形状またはほぼ半長円形状に構成されていることを特徴とする請求項３、４または５に記載のガス類供給用マスク装置。
【請求項７】
上記左側孔形成用突出部と上記右側孔形成用突出部とのそれぞれが、ほぼ左右両外側に向って先細りになるように突出しているほぼ等脚台形状に構成されていることを特徴とする請求項６に記載のガス類供給用マスク装置。
【請求項８】
上記左側孔形成用突出部と上記右側孔形成用突出部とのそれぞれの基底の長さが、１０．５〜１７．５ｍｍの範囲であり、
上記左側孔形成用突出部と上記右側孔形成用突出部とのそれぞれの突出高さが、４．５〜７．５ｍｍの範囲であり、
上記左側孔形成用突出部と上記右側孔形成用突出部とのそれぞれの面積が、４５〜７５ｍｍ２の範囲であることを特徴とする請求項６または７に記載のガス類供給用マスク装置。
【請求項９】
上記マスク本体の上下方向における長さに対する、上記マスク本体の上端から左右一対の孔形成用突出部のそれぞれのほぼ中心までの上下方向における長さの比が、０．３８〜０．４８の範囲であることを特徴とする請求項３〜８のうちのいずれか１つに記載のガス類供給用マスク装置。
【請求項１０】
上記紐取付け用短孔のそれぞれの平面的に見た最大長さが、１．５〜２．５ｍｍの範囲であり、
上記紐取付け用短孔のそれぞれの平面的に見た面積が、２．３５〜３．９５ｍｍ２の範囲であることを特徴とする請求項１〜９のうちのいずれか１つに記載のガス類供給用マスク装置。
【請求項１１】
上記帯取付け用長孔のそれぞれの平面的に見た幅が、０．７５〜１．２５ｍｍの範囲であり、
上記帯取付け用長孔のそれぞれの平面的に見た最大長さが、７．５〜１２．５ｍｍの範囲であり、
上記帯取付け用長孔のそれぞれの平面的に見た面積が、６．８〜１１．４ｍｍ２の範囲であることを特徴とする請求項１〜１０のうちのいずれか１つに記載のガス類供給用マスク装置。
【発明の詳細な説明】
【技術分野】
【０００１】
本発明は、マスク装着者の頭部に装着されることができるマスク本体を備え、上記頭部に装着されている上記マスク本体と上記マスク装着者の顔面との間に存在するガス類導入空間にガス類を導入することができるように構成されている、酸素マスク装置などのガス類供給用マスク装置に関するものである。
【背景技術】
【０００２】
上述のように構成された酸素マスク装置は、特許文献１に開示されている。そして、この特許文献１に開示されている酸素マスク装置においては、複数個のゴム紐取付け用丸孔が、マスク本体の外周部分のうちの左側の端部と右側の端部とのそれぞれに配設されている。このために、マスク装着者などは、ゴム紐の両端部のそれぞれをマスク本体の外周部分のうちの左側端部のゴム紐取付け用丸孔と右側端部のゴム紐取付け用丸孔とにそれぞれ取付けることができる。したがって、上記ゴム紐をマスク装着者の頭部に掛け渡すことによって、酸素マスク装置をマスク装着者に装着することができる。
【先行技術文献】
【特許文献】
【０００３】
【特許文献１】特開２００５−２５３９２５号公報
【発明の概要】
【発明が解決しようとする課題】
【０００４】
しかし、特許文献１に開示されている酸素マスク装置の場合には、マスク装着者などの手元にゴム紐がない場合には、ゴム紐を何らかの方法でもって入手する必要がある。そして、ゴム紐を入手するのに手間や時間が掛かるときには、マスク装着者が酸素マスク装置を使用し始めるのに余分な手間や余分な時間が掛かってしまう。
【０００５】
本発明は、特許文献１に開示されている酸素マスク装置における上述のような欠点を、比較的簡単な構成でもって、効果的に是正し得るようにしたものである。
【課題を解決するための手段】
【０００６】
本発明は、マスク装着者の頭部に装着されることができるマスク本体を備え、上記頭部に装着されている上記マスク本体と上記マスク装着者の顔面との間に存在するガス類導入空間にガス類を導入することができるように構成されているガス類供給用マスク装置において、紐取付け用短孔と帯取付け用長孔とのそれぞれが、上記マスク本体の外周部分のうちの左側の端部と右側の端部とのそれぞれに配設されていることを特徴とするガス類供給用マスク装置に係るものである。そして、本発明の第１の観点によれば、上記外周部分のうちの上記左側端部と上記右側端部とのそれぞれがほぼ平らな面に構成されているのが好ましい。
【０００７】
また、本発明の第２の観点によれば、左側の孔形成用突出部と右側の孔形成用突出部とのそれぞれが、上記外周部分のうちの上記左側端部と上記右側端部とのそれぞれのほぼ中間部分にほぼ左右両外側に向って突出するように配設され、上記紐取付け用短孔と上記帯取付け用長孔とのうちのいずれか一方が、上記左側孔形成用突出部と上記右側孔形成用突出部とのそれぞれに配設され、上記紐取付け用短孔と上記帯取付け用長孔とのうちの他方が、上記左側孔形成用突出部と上記右側孔形成用突出部とのそれぞれに隣接するように、上記外周部分のうちの上記左側端部と上記右側端部とにそれぞれ配設されているのが好ましい。そして、本発明の第２の観点の第１の態様によれば、上記紐取付け用短孔が、上記左側孔形成用突出部と上記右側孔形成用突出部とのそれぞれに配設され、上記帯取付け用長孔が、上記左側孔形成用突出部と上記右側孔形成用突出部とのそれぞれに隣接するように、上記外周部分のうちの上記左側端部と上記右側端部とにそれぞれ配設されているのが好ましい。また、本発明の上記第２の観点の第２の態様によれば、上記左側孔形成用突出部と上記右側孔形成用突出部とのそれぞれが、上記左側端部と上記右側端部とのそれぞれにほぼ面一になるように一体成形されているのが好ましい。
【０００８】
また、本発明の上記第２の観点の第３の態様によれば、上記左側孔形成用突出部と上記右側孔形成用突出部とのそれぞれが、ほぼ台形状、ほぼ長方形状、ほぼ半円形状、ほぼ半楕円形状またはほぼ半長円形状に構成されているのが好ましい。この場合、上記左側孔形成用突出部と上記右側孔形成用突出部とのそれぞれが、ほぼ左右両外側に向って先細りになるように突出しているほぼ等脚台形状に構成されているのがさらに好ましい。そして、この場合、上記左側孔形成用突出部と上記右側孔形成用突出部とのそれぞれの基底の長さが、１０．５〜１７．５ｍｍの範囲（さらに好ましくは、１１．２〜１６．８ｍｍの範囲、最も好ましくは、１１．７〜１６．３ｍｍの範囲）であり、上記左側孔形成用突出部と上記右側孔形成用突出部とのそれぞれの突出高さが、４．５〜７．５ｍｍの範囲（さらに好ましくは、４．８〜７．２ｍｍの範囲、最も好ましくは、５．０〜７．０ｍｍの範囲）であり、上記左側孔形成用突出部と上記右側孔形成用突出部とのそれぞれの面積が、４５〜７５ｍｍ２の範囲（さらに好ましくは、４８〜７２ｍｍ２の範囲、最も好ましくは、５０〜７０ｍｍ２の範囲）であるのが好ましい。さらに、本発明の上記第２の観点の第４の態様によれば、上記マスク本体の上下方向における長さに対する、上記マスク本体の上端から左右一対の孔形成用突出部のそれぞれのほぼ中心までの上下方向における長さの比が、０．３８〜０．４８の範囲（さらに好ましくは、０．３９〜０．４７の範囲、最も好ましくは、０．４０〜０．４６の範囲）であるのが好ましい。
【０００９】
また、本発明の第３の観点によれば、上記紐取付け用短孔のそれぞれの平面的に見た最大長さが、１．５〜２．５ｍｍの範囲（さらに好ましくは、１．６〜２．４ｍｍの範囲、最も好ましくは、１．７〜２．３ｍｍの範囲）であり、上記紐取付け用短孔のそれぞれの平面的に見た面積が、２．３５〜３．９５ｍｍ２の範囲（さらに好ましくは、２．５０〜３．８０ｍｍ２の範囲、最も好ましくは、２．６２〜３．６６ｍｍ２の範囲）であるのが好ましい。そして、本発明の第４の観点によれば、上記帯取付け用長孔のそれぞれの平面的に見た幅が、０．７５〜１．２５ｍｍの範囲（さらに好ましくは、０．８０〜１．２０ｍｍの範囲、最も好ましくは、０．８２〜１．１８ｍｍの範囲）であり、上記帯取付け用長孔のそれぞれの平面的に見た最大長さが、７．５〜１２．５ｍｍの範囲（さらに好ましくは、８．０〜１２．０ｍｍの範囲、最も好ましくは、８．２〜１１．８ｍｍの範囲）であり、上記帯取付け用長孔のそれぞれの平面的に見た面積が、６．８〜１１．４ｍｍ２の範囲（さらに好ましくは、７．２〜１０．８ｍｍ２の範囲、最も好ましくは、７．５〜１０．５ｍｍ２の範囲）であるのが好ましい。
【発明の効果】
【００１０】
請求項１に係る発明によれば、紐取付け用短孔と帯取付け用長孔とのそれぞれが、マスク本体の外周部分のうちの左側の端部と右側の端部とのそれぞれに配設されている。このために、ゴム紐などの頭部装着用紐がマスク装着者などの手元にあるときには、頭部装着用紐をマスク装着者の頭部などに比較的簡単にかつ比較的確実に掛けることなどによって、マスク本体をマスク装着者に比較的簡単にかつ比較的確実に装着することができる。そして、ゴム紐などの頭部装着用紐がマスク装着者などの手元にないときには、伸縮包帯などの頭部装着用帯をマスク装着者の頭部などに比較的簡単にかつ比較的確実に掛けることなどによって、マスク本体をマスク装着者に比較的簡単にかつ比較的容易に装着することができる。なお、この点は、ゴム紐などの頭部装着用紐がマスク装着者などの手元にあるときも、同様である。そして、請求項２に係る発明によれば、ゴム紐などの頭部装着用弾性紐や伸縮包帯などの頭部装着用弾性帯をマスク本体の外周部分のうちの左側端部と右側端部とにさらに簡単にかつさらに確実に取付けることができる。
【００１１】
また、請求項３に係る発明によれば、左側の孔形成用突出部と右側の孔形成用突出部とのそれぞれによって、マスク本体の左右両側の端部のうちの標準的な高さの取付け箇所を示唆することができるので、マスク装着者などがマスク本体をマスク装着者の頭部にさらに簡単にかつさらに確実に装着することができる。そして、請求項４に係る発明によれば、左右一対の孔形成用突出部の強度をほとんど低下させることなく、請求項３に係る発明による上述の効果をさらに良好に奏することができる。さらに、請求項５、６および７にそれぞれ係る発明によれば、請求項３および４にそれぞれ係る発明によって奏する上述の効果をさらに良好に奏することができる。そして、請求項８および９にそれぞれ係る発明によれば、請求項３に係る発明によって奏する上述の効果をさらに良好に奏することができる。また、請求項１０および１１にそれぞれ係る発明によれば、請求項３および４にそれぞれ係る発明によって奏する上述の効果をさらに良好に奏することができる。
【図面の簡単な説明】
【００１２】
【図１】本発明を酸素マスク装置に適用した一実施例における酸素マスク装置の正面図である。（実施例１）
【図２】図１の酸素マスク装置の第１の装着状態での斜視図である。（実施例１）
【図３】図２に示す第１の装着状態での酸素マスク装置における紐取付け用短孔への頭部装着用ゴム紐の取付け操作の初期段階を示す要部の斜視図である。（実施例１）
【図４】図２に示す第１の装着状態での酸素マスク装置における紐取付け用短孔への頭部装着用ゴム紐の取付け操作の完了段階を示す要部の斜視図である。（実施例１）
【図５】図１の酸素マスク装置の第２の装着状態での包帯取付け用長孔への頭部装着用伸縮包帯の取付け操作の初期の段階を示す要部の斜視図である。（実施例１）
【図６】図１の酸素マスク装置の第２の装着状態での包帯取付け用長孔への頭部装着用伸縮包帯の取付け操作の途中の段階を示す要部の斜視図である。（実施例１）
【図７】図１の酸素マスク装置の第２の装着状態での包帯取付け用長孔への頭部装着用伸縮包帯の取付け操作の完了段階を示す要部の斜視図である。（実施例１）
【発明を実施するための最良の形態】
【００１３】
つぎに、本発明の一実施例における酸素マスク装置１を、「１、酸素マスク本体の説明」、「２、第１〜第４のコネクタおよびガス供給用チューブの説明」および「３、マスク装着者への酸素マスク装置の装着操作の説明」に項分けして、図１〜図７を参照しつつ説明する。
【００１４】
１、酸素マスク本体の説明
【００１５】
ガス類供給用マスク装置としての酸素マスク装置１は、図１および図２に示すように、患者などのマスク装着者２の顔面３のほぼ中央の部分（具体的には、鼻部４および口部５ならびにこれらの周辺部）を覆うことができるマスク本体６を備えている。なお、マスク本体６は、軟質塩化ビニールなどのほぼ透明な（換言すれば、透光性の）軟質合成樹脂などから、左右ほぼ対称的な形状を有するように、一体成形されていてよい。また、図２において、符号７は、マスク装着者２の左目であり、符号８は、マスク装着者の右目である。そして、マスク本体６の外周部分１１のうちの少なくとも左右両側端部１１ａ、１１ｂは、そのほぼ全体にわたってほぼ平らな面に構成されている。なお、外周部分１１のうちの上側端部１１ｃは、マスク装着者２の鼻部４の形状にほぼ対応するように、左右両側端部１１ａ、１１ｂとほぼ連続していて前方（換言すれば、外側）に向って多少突出している弯曲形状であってよい。そして、外周部分１１のうちの下側端部１１ｄは、マスク装着者２の顎部１２のほぼ上方付近にほぼ対応するように、左右両側端部１１ａ、１１ｂとほぼ連続しているほぼ平らな面であってもよいが、マスク装着者２の顎部１２のほぼ下方付近にほぼ対応するように、左右両側部１１ａ、１１ｂとほぼ連続していてほぼ前方（換言すれば、外側）に向って多少突出している弯曲形状であってもよい。
【００１６】
マスク本体６の外周部分１１の左右一対の側端部１１ａ、１１ｂの中間部分のうちの多少上方の部分には、図１および図２に示すように、これら左右一対の側端部１１ａ、１１ｂから（好ましくは、ほぼ左右両外側に向って先細りになるように突出するように）左右両外側に向かってそれぞれほぼ等脚台形状などのほぼ台形状、ほぼ長方形状、ほぼ半円形状、ほぼ半楕円形状、ほぼ半長円形状などに突出している左右両側の孔形成用突出部１３ａ、１３ｂが、左右一対の側端部１１ａ、１１ｂのそれぞれとほぼ面一になるように一体成形されて、配設されている。そして、図示の実施例においてはそれぞれほぼ等脚台形状であるこれら左右両側の孔形成用突出部１３ａ、１３ｂのそれぞれには、柔軟性と弾性とを有する第１の頭部装着用長手状部材としての偏平形状の第１の頭部装着用ゴム紐（換言すれば、偏平形状で比較的幅狭の弾性体）１４の左右両端部がそれぞれ挿通されて取付けられる左右一対の紐取付け用の短孔（換言すれば、平面的に見て長さが短い孔）１５が、貫通孔として配設されている。また、同様の紐取付け用の短孔（換言すれば、平面的に見て長さが短い孔）１６、１７、１８が、左右一対の側端部１１ａ〜１１ｂのほぼ上下方向にそれぞれ沿って上方から下方に向って例えば３個ずつ、貫通孔として順次配設されている。さらに、第１の頭部装着用ゴム紐１４と同様に構成されていてよい第２の頭部装着用紐としての第２の頭部装着用ゴム紐（換言すれば、偏平形状で比較的幅狭の弾性体）２１の両端部が、第１の頭部装着用ゴム紐１４に代えてまたは第１の頭部装着用ゴム紐１４に加えて、上記３個ずつの紐取付け用短孔１６、１７、１８のうちのいずれか１個に挿通されて取付けられていてもよい。
【００１７】
左右一対の側端部１１ａ、１１ｂのそれぞれには、図１および図２に示すように、左右一対の側端部１１ａ、１１ｂにそれぞれ沿ってほぼ直線形状に延在していてよい上下一対の包帯取付け用長孔（換言すれば、平面的に見て長細い孔）２２、２３が、貫通孔として配設されている。また、これら上下一対の包帯取付け用長孔２２、２３のうちの上側の包帯取付け用長孔２２は、ほぼ左右方向において紐取付け用短孔１５（換言すれば、突出部１３ａ、１３ｂ）にそれぞれ対向するように隣接している。なお、これらの包帯取付け用長孔２２、２３のうちの左右一対の包帯取付け用長孔２２には、柔軟性を有する第２の頭部装着用長手状部材としての頭部装着用伸縮包帯（換言すれば、偏平形状で比較的幅広に弾性体）２４の両端部が、第１の頭部装着用ゴム紐１４に代えて、それぞれ挿通されて取付けられることができる。さらに、第２の長手状装着用部材としての第２の頭部装着用伸縮包帯（図示せず）の両端部が、頭部装着用伸縮包帯２４に代えてまたは頭部装着用伸縮包帯２４に加えて、左右一対の包帯取付け用長孔２３に挿通されて取付けられていてもよい。なお、第１および第２の頭部装着用ゴム紐１４、２１ならびに頭部装着用伸縮包帯２４および上記第２の頭部装着用伸縮包帯（換言すれば、偏平形状で比較的幅広の第１および第２の弾性体）のそれぞれは、マスク装着者２の左側の頬部、後頭部および右側の頬部をそれぞれ通るように、マスク装着者２の頭部２６に掛け渡されることができる。さらに、第１の頭部装着用ゴム紐（換言すれば、弾性紐）１４、２１のうちの少なくとも一方と、頭部装着用伸縮包帯２４および上記第２の頭部装着用伸縮包帯（換言すれば、第１および第２の弾性包帯などの第１および第２の弾性帯）のうちの少なくとも一方とが、左右一対の側端部１１ａ、１１ｂに、上述のようにして同時に取付けられて、マスク装着者２の頭部２６にそれぞれ掛け渡されるようにしてもよい。
【００１８】
図１に示すマスク本体６の上下方向における長さＬ１は、ほぼ１０５ｍｍである。そして、マスク本体６の上端から左右一対の孔形成用突出部１３ａ、１３ｂ（換言すれば、左右一対の紐取付け用短孔１５）のそれぞれのほぼ中心までの上下方向における長さＬ２は、ほぼ３８ｍｍである。したがって、マスク本体６の上下方向における長さＬ１に対する、左右一対の孔形成用突出部１３ａ、１３ｂ（換言すれば、左右一対の紐取付け用短孔１５）のそれぞれのほぼ中心までの上下方向における長さＬ２の比Ｌ２／Ｌ１は、ほぼ０．３６である。また、図１に示すように、それぞれほぼ等脚台形状などであってよい左右一対の孔形成用突出部１３ａ、１３ｂの外側面および内側面のそれぞれの下底の長さＬ３および突出高さＬ４のそれぞれは、ほぼ６ｍｍ、ほぼ１４ｍｍおよびほぼ６ｍｍである。さらに、左右一対の孔形成用突出部１３ａ、１３ｂの外側面および内側面のそれぞれの面積は、ほぼ６０ｍｍ２である。そして、上記比Ｌ２／Ｌ１は、本発明の目的を達成するためには、実用性の観点から見て一般的に、０．３８〜０．４８の範囲であるのが好ましく、０．３９〜０．４７の範囲であるのがさらに好ましく、０．４０〜０．４６の範囲であるのが最も好ましい。また、左右一対の孔形成用突出部１３ａ、１３ｂの外側面および内側面（換言すれば、ほぼ等脚台形状）のそれぞれの基端または基底である下底の長さＬ３は、本発明の目的を達成するためには、実用性の観点から見て一般的に、１０．５〜１７．５ｍｍの範囲であるのが好ましく、１１．２〜１６．８ｍｍの範囲であるのがさらに好ましく、１１．７〜１６．３ｍｍの範囲であるのが最も好ましい。さらに、左右一対の孔形成用突出部１３ａ、１３ｂの外側面および内側面（換言すれば、ほぼ等脚台形状）のそれぞれの突出高さＬ４は、本発明の目的を達成するためには、実用性の観点から見て一般的に、４．５〜７．５ｍｍの範囲であるのが好ましく、４．８〜７．２ｍｍの範囲であるのがさらに好ましく、５．０〜７．０ｍｍの範囲であるのが最も好ましい。また、左右一対の孔形成用突出部１３ａ、１３ｂの外側面および内側面のそれぞれ（換言すれば、ほぼ等脚台形状）の面積は、本発明の目的を達成するためには、実用性の観点から見て一般的に、４５〜７５ｍｍ２の範囲であるのが好ましく、４８〜７２ｍｍ２の範囲であるのがさらに好ましく、５０〜７０ｍｍ２の範囲であるのが最も好ましい。なお、マスク本体６の外周部分１１の左右一対の側端部１１ａ、１１ｂに連なっている左右両側の孔形成用突出部１３ａ、１３ｂのそれぞれの形状が、ほぼ等脚台形状ではなくて、ほぼ等脚台形状以外のほぼ台形状、ほぼ長方形状、ほぼ半円形状、ほぼ半楕円形状、ほぼ半長円形状などである場合にも、上記長さＬ３、上記突出高さＬ４および上記面積についての数値範囲はほぼ該当する。また、上記下底とは、左右両側の孔形成用突出部１３ａ、１３ｂのうちの左右両側の側端部１１ａ、１１ｂに連なっている部分（換言すれば、基端または基底）を意味している。
【００１９】
図１にそれぞれ示す紐取付け用短孔１５〜１８は、平面的に見てほぼ円形状、ほぼ６角形状、ほぼ８角形状などの多角形状などの短孔形状であってよい。そして、紐取付け用短孔１５〜１８のそれぞれの直径（換言すれば、平面的に見た最大長さ）Ｌ５（図示せず）は、ほぼ２ｍｍである。したがって、紐取付け用短孔１５〜１８のそれぞれの平面的に見た面積は、ほぼ３．１４ｍｍ２である。そして、包帯取付け用長孔２２、２３のそれぞれの平面的に見た幅Ｌ６（図示せず）は、ほぼ１ｍｍである。また、ほぼ直線形状に延在していてよい包帯取付け用長孔２２、２３のそれぞれの平面的に見た長さＬ７（図示せず）は、ほぼ１０ｍｍである。さらに、それぞれの包帯取付け用長孔２２、２３のそれぞれのほぼ上側およびほぼ下側の端部（換言すれば、両端部）は、平面的に見て、ほぼ半円形状である。したがって、包帯取付け用長孔２２、２３のそれぞれの平面的に見た面積は、ほぼ９ｍｍ２である。そして、紐取付け用短孔１５〜１８のそれぞれの上記直径（換言すれば、上記最大長さ）Ｌ５は、本発明の目的を達成するためには、実用性の観点から見て一般的に、１．５〜２．５ｍｍの範囲であるのが好ましく、１．６〜２．４ｍｍの範囲であるのがさらに好ましく、１．７〜２．３ｍｍの範囲であるのが最も好ましい。また、紐取付け用短孔１５〜１８のそれぞれの平面的に見た上記面積は、本発明の目的を達成するためには、実用性の観点から見て一般的に、２．３５〜３．９５ｍｍ２の範囲であるのが好ましく、２．５０〜３．８０ｍｍ２の範囲であるのがさらに好ましく、２．６２〜３．６６ｍｍ２の範囲であるのが最も好ましい。さらに、包帯取付け用長孔（換言すれば、帯取付け用長孔）２２、２３のそれぞれの平面的に見た幅Ｌ６は、本発明の目的を達成するためには、実用性の観点から見て一般的に、０．７５〜１．２５ｍｍの範囲であるのが好ましく、０．８０〜１．２０ｍｍの範囲であるのがさらに好ましく、０．８２〜１．１８ｍｍの範囲であるのが最も好ましい。そして、包帯取付け用長孔２２、２３のそれぞれの平面的に見た長さＬ７は、本発明の目的を達成するためには、実用性の観点から見て一般的に、７．５〜１２．５ｍｍの範囲であるのが好ましく、８．０〜１２．０ｍｍの範囲であるのがさらに好ましく、８．２〜１１．８ｍｍの範囲であるのが最も好ましい。また、包帯取付け用長孔２２、２３の平面的に見た上記面積は、本発明の目的を達成するためには、実用性の観点から見て一般的に、６．８〜１１．４ｍｍ２の範囲であるのが好ましく、７．２〜１０．８ｍｍ２の範囲であるのがさらに好ましく、７．５〜１０．５ｍｍ２の範囲であるのが最も好ましい。
【００２０】
マスク本体６のうちの左右両側の多少上方の部分には、図１および図２に示すように、マスク本体６の内側と外側との間の通気を行うための左右一対のほぼ三角形状の通気用開孔２５ａ、２５ｂがそれぞれ配設されている。なお、これら左右一対の通気用開孔２５ａ、２５ｂのそれぞれは、マスク本体６がマスク装着者２に装着されている状態においては、マスク装着者２の左右両側の鼻孔およびこれらの鼻孔の周囲にそれぞれ対応する位置に配置される。そして、右側の通気用開孔２５ｂは、左側の通気用開孔２５ａと左右ほぼ対称的な形状を有していてよい。また、マスク本体６のうちのほぼ中心の箇所から多少下方の部分には、第１および第２のコネクタ３１、３２をそれぞれ取付けるためのコネクタ取付け部３３が配設されている。また、コネクタ取付け部３３には、ほぼ円柱形状などのほぼ柱形状であってよい開孔３４が配設されている。また、コネクタ取付け部３３は、マスク本体６の水平方向および垂直方向のそれぞれに対して傾斜した状態でもって、マスク本体６に配設されている。そして、コネクタ取付け部３３の上記傾斜方向は、下方から上方に向かって外側に突出する方向であってよい。
【００２１】
２、第１〜第４のコネクタおよび酸素供給用チューブの説明
【００２２】
酸素マスク装置１は、図１および図２に示すように、第１のコネクタ３１、第２のコネクタ３２、第３のコネクタ３５、ガス類供給用チューブ３６および第４のコネクタ（図示せず）をそれぞれ備えている。なお、上記第１〜第４のコネクタのそれぞれは、硬質塩化ビニールなどのほぼ透明な（換言すれば、透光性の）硬質合成樹脂などから、一体成形されていてよい。また、ガス類供給用チューブ３６は、軟質塩化ビニールなどのほぼ透明な（換言すれば、透光性の）軟質合成樹脂などから、一体成形されていてよい。そして、第１のコネクタ３１は、この第１のコネクタ３１の軸心方向にほぼ沿ってほぼ斜め方向に延在するほぼ円筒形状などの筒形状であってよいガス類供給用の筒状部４１と、この筒状部４１の上端側に突出するように、この上端側に配設されているほぼ円錐形状などの錐形状などの上端面部４２とを備えている。また、このほぼ錐形状などの上端面部４２のほぼ中心部分には、ほぼ円形状などであってよいガス類導入用（換言すれば、マスク本体６の内側への酸素導入用）の開口４３が配設されている。そして、第１のコネクタ３１のガス類供給用筒状部４１がマスク本体６の内側から開孔３４に挿通されることによって、第１のコネクタ３１が、マスク本体６に取付けられる。
【００２３】
第２のコネクタ３２の下端側の部分は、図１および図２に示すように、第３のコネクタ３５が取付けられるほぼ円筒形状などのほぼ筒形状の下側筒状部４４を構成している。そして、この下側筒状部４４は、通常はほぼ上下方向に延在している。また、第２のコネクタ３２の上端側の部分は、第１のコネクタ３１の軸心方向にほぼ沿って延在するように、この第２のコネクタ３２の下端側の部分から上方に向かって斜め方向に湾曲している。そして、第２のコネクタ３２のほぼ円筒状などのほぼ筒状の上端付近は、第１のコネクタ３１のガス類供給用筒状部４１とマスク本体６の筒状突壁部との間に挿入されている。また、第３のコネクタ３５は、円筒形状などの大径でかつ有底の筒状部４４と、この筒状部４４の下端部に一体成形などにより連結されている円筒形状などの小径の筒状部４５とをそれぞれ備えている。なお、大径の筒状部４４の底部のほぼ中心位置には、小径の筒状部４５と連通するための貫通孔４６が形成されている。そして、小径の筒状部４５内には、ガス類供給用チューブ３６の一端部が挿入されて連結されている。また、ガス類供給用チューブ３６の上端開口は、大径の筒状部４４に貫通孔４６を介して連通している。さらに、ガス類供給用チューブ３６の他端部には、前記第４のコネクタ（図示せず）が連結されている。そして、この第４のコネクタは、酸素ボンベなどのガスボンベ（図示せず）や、病室などに配設されたガス類供給用ノズル（図示せず）に、必要に応じて接続されることができる。したがって、酸素マスク装置１が図１および図２に示すようにマスク装着者２の顔面３に装着されているときも装着されていないときも、ガス流が第１のコネクタ３１のガス導入用開口４３からマスク本体６内の空間（換言すれば、顔面３とマスク本体６との間に存在するガス類導入空間）４７に送り込まれることができる。
【００２４】
３、マスク装着者への酸素マスク装置の装着操作の説明
【００２５】
酸素マスク装置１をマスク装着者２に装着するのに用いられる第１および第２の頭部装着用ゴム紐（換言すれば、それぞれが偏平形状で比較的幅狹の弾性体）１４、２１のそれぞれは、横幅が比較的狭いテープ形状に構成されていて、綿糸とポリウレタン繊維糸（特に、ポリウレタン弾性繊維糸）とで織られた織物であってよい。そして、それぞれの頭部装着用ゴム紐１４、２１の両方の端部５１のそれぞれは、熱収納性の合成樹脂などから構成されたほぼ円筒形状などのほぼ筒形状などのチューブ５２により被覆されることによって、ほぼ円柱形状などのほぼ柱形状などに成形されている。なお、チューブ５２のそれぞれの外周面の直径（換言すれば、横断面の最大長さ）は、ほぼ２ｍｍである。したがって、チューブ５２の外周面によって囲まれる頭部装着用ゴム紐１４、２１の端部５１とチューブ５２とから成る被取付け部５４の横断面積は、ほぼ３．１４ｍｍ２である。そして、それぞれの頭部装着用ゴム紐１４、２１のうちの両方の端部５１を除く中間部分５３の横断面の厚みは、ほぼ１．５ｍｍである。また、上記中間部分５３の横断面の長さは、ほぼ６ｍｍである。そして、チューブ５２の両方の端部５１の外周面のそれぞれの直径（換言すれば、上記最大長さ）は、本発明の目的を達成するためには、実用性の観点から見て一般的に、１．５〜２．５ｍｍの範囲であるのが好ましく、１．６〜２．４ｍｍの範囲であるのがさらに好ましく、１．７〜２．３ｍｍの範囲であるのが最も好ましい。また、被取付け部５４の横断面積は、本発明の目的を達成するためには、実用性の観点から見て一般的に、２．３６〜３．９４ｍｍ２の範囲であるのが好ましく、２．５０〜３．７８ｍｍ２の範囲であるのがさらに好ましく、２．６２〜３．６６ｍｍ２の範囲であるのが最も好ましい。さらに、それぞれの頭部装着用ゴム紐（換言すれば、扁平形状で比較的幅狭の頭部装着用弾性体）１４、２１のうちの両方の端部５１を除く中間部分５３の横断面の厚みは、本発明の目的を達成するためには、実用性の観点から見て一般的に、１．１２〜１．８８ｍｍの範囲であるのが好ましく、１．２０〜１．８０ｍｍの範囲であるのがさらに好ましく、１．２５〜１．７５ｍｍの範囲であるのが最も好ましい。そして、上記中間部分５３の横断面の長さは、本発明の目的を達成するためには、実用性の観点から見て一般的に４．５〜７．５ｍｍの範囲であるのが好ましく、４．８〜７．２ｍｍの範囲であるのがさらに好ましく、５．０〜７．０ｍｍの範囲であるのが最も好ましい。
【００２６】
酸素マスク装置１をマスク装着者２に装着するのに用いられる頭部装着用伸縮包帯２４および第２の頭部装着用伸縮包帯（換言すれば、それぞれが扁平形状で比較的幅広である頭部装着用弾性体）のそれぞれは、横幅が比較的広いテープ形状に構成されていて、綿糸とポリウレタン繊維糸（特に、ポリウレタン弾性繊維糸）とで織られた織物であってよい。なお、頭部装着用伸縮包帯２４および第２の頭部装着用伸縮包帯のそれぞれの横断面の厚みは、ほぼ０．５ｍｍである。また、頭部装着用伸縮包帯２４および第２の頭部装着用伸縮包帯のそれぞれの横断面の長さは、ほぼ３８ｍｍである。そして、頭部装着用伸縮包帯２４および第２の頭部装着用伸縮包帯のそれぞれの横断面の厚みは、本発明の目的を達成するためには、実用性の観点から見て一般的に、０．３８〜０．６２ｍｍの範囲であるのが好ましく、０．４０〜０．６０ｍｍの範囲であるのがさらに好ましく、０．４２〜０．５８ｍｍの範囲であるのが最も好ましい。また、頭部装着用伸縮性包帯２４および第２の頭部装着用伸縮包帯のそれぞれの横断面の長さは、本発明の目的を達成するためには、実用性の観点から見て一般的に、２８．５〜４７．５ｍｍの範囲であるのが好ましく、３０．５〜４５．６ｍｍの範囲であるのがさらに好ましく、３１．６〜４４．４ｍｍの範囲であるのが最も好ましい。
【００２７】
頭部装着用ゴム紐１４または２１をマスク本体６の左右両側の端部１１ａ、１１ｂの紐取付け用短孔１５〜１８に取付けるに際しては、まず、図１および図２に示す左右両側の紐取付け用短孔１５〜１８のうちのいずれか１つの短孔を取付け箇所の対象として選択すればよい。この場合、左右両側の孔形式用突出部１３ａ、１３ｂは、マスク本体６の左右両側の端部１１ａ、１１ｂのうちの標準的な高さの取付け箇所であることを示唆している。したがって、頭部装着用ゴム紐１４または２１を標準的な高さの取付け箇所に取付けたいときには、マスク装着者２などが頭部装着用ゴム紐１４または２１を孔形成用突出部１３ａ、１３ｂに取付ければよい。なお、上述のように、左右両側の孔形成用突出部１３ａ、１３ｂのそれぞれがマスク本体６の左右両側の端部１１ａ、１１ｂのうちの標準的な高さの取付け箇所を示唆しているために、マスク装着者２などは、マスク本体６をマスク装着者２の頭部２６に取付ける操作を比較的容易にかつ比較的簡単に行うことができる。
【００２８】
つぎに、第１の頭部装着用ゴム紐１４および第２の頭部装着用ゴム紐２１のうちの例えば第２の頭部装着用ゴム紐２１をマスク本体６の右側端部１１ｂの紐取付け用短孔１５〜１８のうちの例えば紐取付け用短孔１７に取付ける場合の取付け操作を、図３および図４を参照して説明する。なお、第２の頭部装着用ゴム紐２１をマスク本体６の左側端部１１ａの紐取付け用孔１７に取付ける場合の取付け操作や、第２の頭部装着用ゴム紐２１を左側の端部１１ａまたは右側の端部１１ｂの紐取付け用短孔１５、１６、１８のうちのいずれか１つに取付ける場合の取付け操作や、第１の頭部装着用ゴム紐１４を左側の端部１１ａまたは右側の端部１１ｂの紐取付け用短孔１５〜１８のうちのいずれか１つに取付ける場合の取付け操作も、つぎに説明する取付け操作と実質的に同一の取付け操作を行えばよい。
【００２９】
第２の頭部装着用ゴム紐２１をマスク本体６の右側端部１１ｂの紐取付け用孔１７に取付けるに際しては、図３に示すように、長手状の第２の頭部装着用ゴム紐２１のいずれか一方のチューブ５２をマスク本体６の右側端部１１ｂの紐取付け用短孔１７にこの紐取付け用短孔１７の本来の下側面から差し込んで貫通させる。そして、このようにして貫通した上記一方のチューブ５２の先端部の側を、右側端部１１ｂに対して、この右側端部１１ｂの本来の上側面の側から引っ張り出す。この結果、チューブ５２と、このチューブ５２に繋がっている中間部分５３の先端側の一部分５５とが、図４に示すように、紐取付け用短孔１７をそれぞれ通過する。この場合、中間部分５３のうちの上記先端側の一部分５５に連なる部分が、くびれ部５６として、紐取付け用短孔１７内において右側端部１１ｂのうちのこの紐取付け用短孔１７の外周囲の部分よって支持される。なお、第２の頭部装着用ゴム紐２１は、既述のように、弾性体として構成されている。したがって、マスク本体６を頭部２６に装着するときや、この装着の状態になっているときに、第２の頭部装着用ゴム紐２１がこの第２の頭部装着用ゴム紐２１に加わる力によって紐取付け用短孔１５から抜け出るおそれは、ほとんどない。なお、第２の頭部装着用ゴム紐２１を紐取付け用短孔１７から取外したいときには、上述の取付けの場合とは逆に、第２の頭部装着用ゴム紐２１を紐取付け用短孔１７から引っ張り出せばよい。
【００３０】
つぎに、頭部装着用伸縮包帯２４および第２の頭部装着用伸縮包帯のうちの例えば頭部装着用伸縮包帯２４をマスク本体６の右側端部１１ｂの包帯取付け用長孔２２、２３のうちの例えば包帯取付け用長孔２３に取付ける場合の取付け操作を、図５〜図７を参照して説明する。なお、頭部装着用伸縮包帯２４をマスク本体６の左側端部１１ａの包帯取付け用長孔２３に取付ける場合の取付け操作や、頭部装着用伸縮包帯２４をマスク本体６の左側端部１１ａまたは右側端部１１ｂの包帯取付け用長孔２２のうちのいずれか１つに取付ける場合の取付け操作や、第２の頭部装着用伸縮包帯を左側端部１１ａまたは右側端部１１ｂの包帯取付け用長孔２２、２３のうちのいずれか１つに取付ける場合の取付け操作も、つぎに説明する取付け操作と実質的に同一の取付け操作を行えばよい。
【００３１】
頭部装着用伸縮性包帯２４をマスク本体６の右側端部１１ｂの包帯取付け用長孔２３に取付けるに際しては、図５に示す長手状の頭部装着用伸縮包帯２４のいずれか一方の端部６１のいずれか一方の角部６２を、図６に示すように、マスク本体６の右側端部１１ｂの包帯取付け用長孔２３にこの包帯取付け用長孔２３の本来の下側面から差し込んで貫通させる。そして、このようにして貫通した上記角部６２の側を、右側端部１１ｂに対して、この右側端部１１ｂの本来の上側面の側から引っ張り出す。この結果、角部６２と、この角部６２に繋がっている長手状の頭部装着用伸縮包帯２４の中間部分６３の先端側の一部分６４とが、図７に示すように、包帯取付け用長孔２３をそれぞれ貫通する。この場合、中間部分６３のうちの上記先端側の部分６４に連なる部分が、くびれ部６５として、包帯取付け用長孔２３内において右側端部分１１ｂのうちのこの包帯取付け用長孔２３の外周囲の部分によって支持される。なお、頭部装着用伸縮包帯２４は、既述のように、弾性体として構成されている。したがって、マスク本体６を頭部２６に装着するときや、この装着の状態になっているときに、頭部装着用伸縮包帯２４がこの頭部装着用伸縮包帯２４に加わる力によって包帯取付け用長孔２３から抜け出るおそれは、ほとんどない。なお、頭部装着用伸縮包帯２４を包帯取付け用長孔２３から取外したいときには、上述の取付けの場合とは逆に、頭部装着用伸縮包帯２４を包帯取付け用長孔２３から引っ張り出せばよい。
【００３２】
以上、本発明の一実施例について詳細に説明したが、本発明は、この実施例に限定されるものではなく、特許請求の範囲に記載されている発明の趣旨に基づいて各種の変更および修正を施されることが可能である。
【００３３】
例えば、上述の実施例においては、左右一対の側端部１１ａ、１１ｂにそれぞれ沿って延在している上下一対の包帯取付け用長孔２２、２３のそれぞれをほぼ直線形状に構成している。しかし、上下一対の包帯取付け用長孔２２、２３のそれぞれは、ほぼ直線形状である必要は必ずしもなく、例えば、左右一対の側端部１１ａ、１１ｂにそれぞれ沿って多少湾曲した形状であってもよい。
【００３４】
また、上述の実施例においては、左右一対の包帯取付け用長孔２２の上方には、包帯取付け用長孔を配設しないようにした。しかし、左右一対の包帯取付け用長孔２２の上方において、外周部分１１の左側端部１１ａおよび右側端部１１ｂのそれぞれに左右一対の第３の包帯取付け用長孔を配設するようにしてもよい。
【００３５】
また、上述の実施例においては、左右一対の紐取付け用短孔１５を左右一対の孔形成用突出部１３ａ、１３ｂにそれぞれ配設するとともに、左右一対の包帯取付け用長孔２２を、左右一対の紐取付け用短孔１５にそれぞれほぼ対向して隣接するように、左右一対の側端部１１ａ、１１ｂに配設した。しかし、これとは逆に、左右一対の包帯取付け用長孔２２を左右一対の孔形成用突出部１３ａ、１３ｂにそれぞれ配設するとともに、左右一対の紐取付け用短孔１５を左右一対の包帯取付け用長孔２２にそれぞれほぼ対向して隣接するように、左右一対の側端部１１ａ、１１ｂに配設してもよい。ただし、左右一対の孔形成用突出部１３ａ、１３ｂの強度の点では、上述の実施例（すなわち、上記前者）の場合の方が上記後者の場合に較べて優れている。
【００３６】
さらに、上述の実施例においては、第１および第２の頭部装着用ゴム紐１４、２１のそれぞれの両端部を左右両側の紐取付け用短孔１５〜１８のうちのいずれか１つに取付けるようにした。しかし、頭部装着用ゴム紐１４、２１がマスク着用者２の耳６６に耳掛け方式で取付けられるようにしてもよい。この場合には、第１および第２の頭部装着用ゴム紐１４、２１が左側のゴム紐と右側のゴム紐とからそれぞれ構成され、これら左右両側のゴム紐の中間部分のそれぞれがほぼループ形状の耳掛け部を有していればよい。また、このような左側のゴム紐と右側のゴム紐とのそれぞれの両端部が左側または右側の紐取付け用短孔１５〜１８のうちのいずれか２つに取付けられることによって、上記左側のゴム紐と上記右側のゴム紐とのそれぞれの中間部分を耳６６に耳掛け方式で取り付けるようにしてもよい。
【符号の説明】
【００３７】
１      酸素マスク装置（ガス類供給用マスク装置）
２      マスク装着者
３      顔面
６      マスク本体
１１    外周部分
１１ａ  左側の端部
１１ｂ  右側の端部
１３ａ  左側の孔形成用突出部
１３ｂ  右側の孔形成用突出部
１５    紐取付け用短孔
１６    紐取付け用短孔
１７    紐取付け用短孔
１８    紐取付け用短孔
２２    包帯取付け用長孔（帯取付け用長孔）
２３    包帯取付け用長孔（帯取付け用長孔）
２６    頭部
４３    ガス類導入用の開口
４７    ガス類導入空間
Ｌ１    長さ
Ｌ２    長さ
Ｌ３    下底の長さ（基底の長さ）
Ｌ４    突出高さ
Ｌ６    幅
Ｌ７    最大長さ
【図１】
2015226596.tif 000003
【図２】
2015226596.tif 000004
【図３】
2015226596.tif 000005
【図４】
2015226596.tif 000006
【図５】
2015226596.tif 000007
【図６】
2015226596.tif 000008
【図７】
2015226596.tif 000009